(57)【特許請求の範囲】
【請求項１】
前面を開口したショーケース本体と、ショーケース本体内の底面側、背面側及び上面側に沿って形成された通風路と、通風路内に配置された冷却器及び送風機と、ショーケース本体の上面側、背面側及び底面側を覆う断熱部材とを備え、ショーケース本体の前面開口部の下端側から通風路内に吸入した空気を冷却器によって冷却し、ショーケース本体の前面開口部の上端側から吐出するようにしたショーケースにおいて、
前記ショーケース本体の上面側を覆う断熱部材を、上面側通風路の前面側、下面側及び両側面を覆う壁面部を一体に有し、且つ底面側壁面部の前端側に空気吐出用の開口部を有する下側部材と、下側部材の上面を覆う上側部材とから形成した
ことを特徴とするショーケース。
【請求項２】
前記ショーケース本体の底面側を覆う断熱部材を、底面側通風路の前面側、下面側、背面側及び両側面を覆う壁面部を一体に有する断熱材によって形成した
ことを特徴とする請求項１記載のショーケース。
【請求項３】
前記送風機の取付けられる送風機用取付部材を備え、
前記底面側の断熱部材内に送風機用取付部材を所定位置に保持する保持部を設けた
ことを特徴とする請求項２記載のショーケース。
【請求項４】
前記断熱部材を発泡性の断熱材によって形成した
ことを特徴とする請求項１、２または３記載のショーケース。
【発明の詳細な説明】
【０００１】
【発明の属する技術分野】
本発明は、例えばコンビニエンスストア等の店舗に設置されるショーケースに関するものである。
【０００２】
【従来の技術】
従来、この種のショーケースとしては、例えば実開平７−３４１３号公報に記載されているように、前面を開口したショーケース本体と、ショーケース本体内に取付けられた上下複数段の商品棚と、ショーケース本体内の底面側、背面側及び上面側に沿って形成された通風路と、通風路内に配置された冷却器及び送風機とを備え、ショーケース本体の前面開口部の下端側から通風路内に吸入した空気を冷却器によって冷却し、ショーケース本体の前面開口部の上端側から吐出することにより、ショーケース本体の前面開口部にエアカーテンを形成するようにしたものが知られている。
【０００３】
また、前記ショーケースでは、ショーケース本体内の上面、背面、底面及び前面の下端側がそれぞれ一体の断熱壁によって覆われ、幅方向両側面はそれぞれ側板を構成する一対の断熱壁によって覆われている。この場合、各断熱壁としては、互いに間隔をおいて対向する金属板の間に発泡性の断熱材を介在させたものが用いられる。
【０００４】
【発明が解決しようとする課題】
ところで、前記ショーケースの断熱壁を製造する場合には、対向一対の金属板をスペーサによって互いに間隔をおいて保持した後、各金属板間に断熱材の原料を注入し発泡させるようにしているが、断熱壁は通風路の上面側、背面側、底面側及び前面側に亘って連続して形成されるため、形状が複雑になり製造上不利であった。また、通風路の両側面は左右の側板をなす別部材の断熱壁によって覆われるため、その接合部分から空気や結露水が外部に漏出しないようにするための十分な密閉構造を必要とし、組立作業の繁雑化を来すという問題点もあった。更に、廃棄処分になったショーケースを解体する場合、前述のようにして製造された断熱壁は材料ごとに分離することが困難であるため、リサイクル性等においても不利であるという問題点があった。
【０００５】
本発明は前記問題点に鑑みてなされたものであり、その目的とするところは、構造の簡素化及び低コスト化を図ることができ、しかも解体の際に材料ごとに容易に分離することのできるショーケースを提供することにある。
【０００６】
【課題を解決するための手段】
本発明は前記目的を達成するために、請求項１では、前面を開口したショーケース本体と、ショーケース本体内の底面側、背面側及び上面側に沿って形成された通風路と、通風路内に配置された冷却器及び送風機と、ショーケース本体の上面側、背面側及び底面側を覆う断熱部材とを備え、ショーケース本体の前面開口部の下端側から通風路内に吸入した空気を冷却器によって冷却し、ショーケース本体の前面開口部の上端側から吐出するようにしたショーケースにおいて、前記ショーケース本体の上面側を覆う断熱部材を、上面側通風路の前面側、下面側及び両側面を覆う壁面部を一体に有し、且つ底面側壁面部の前端側に空気吐出用の開口部を有する下側部材と、下側部材の上面を覆う上側部材とから形成している。これにより、上面側の断熱部材を断熱材の原料を注入し発泡させることによって形成する必要がなく、しかも上面側通風路における空気の漏出を生ずることもない。また、廃棄処分になったショーケースを解体する場合、上面側の断熱部材は他の部品と容易に分離することができる。
【０００７】
また、請求項２では、請求項１記載のショーケースにおいて、前記ショーケース本体の底面側を覆う断熱部材を、底面側通風路の前面側、下面側、背面側及び両側面を覆う壁面部を一体に有する断熱材によって形成している。これにより、請求項１の作用に加え、底面側の断熱部材を断熱材の原料を注入し発泡させることによって形成する必要がなく、しかも底面側通風路における空気及び結露水の漏出を生ずることもない。また、廃棄処分になったショーケースを解体する場合、底面側の断熱部材は他の部品と容易に分離することができる。
【０００８】
また、請求項３では、請求項２のショーケースにおいて、前記送風機の取付けられる送風機用取付部材を備え、前記底面側の断熱部材内に送風機用取付部材を所定位置に保持する保持部を設けている。これにより、請求項２の作用に加え、送風機用取付部材が底面側の断熱部材の保持部によって所定位置に保持されることから、送風機用取付部材を別途締結部材や工具を用いて取付ける必要がない。
【０００９】
また、請求項４では、請求項１、２または３記載のショーケースにおいて、前記断熱部材を発泡性の断熱材によって形成している。これにより、請求項１、２または３の作用に加え、断熱部材が発泡性の断熱材によって所定の形状に成形される。
【００１０】
【発明の実施の形態】
図１乃至図７は本発明の一実施形態を示すもので、図１はショーケースの側面断面図、図２はその全体斜視図、図３乃至図７はその分解斜視図である。
【００１１】
このショーケースは、前面を開口したショーケース本体１と、ショーケース本体１内に取付けられた上下複数段の商品棚２と、ショーケース本体１内の底面側、背面側及び上面側に沿って形成された通風路３と、背面側通風路３内に配置された冷却器４と、底面側通風路３内に配置された複数の送風機５とから構成されている。
【００１２】
ショーケース本体１は、ショーケース本体１の底面側、背面側及び上面側に沿って延びる左右一対の第１の補強部材１０と、ショーケース本体１の幅方向に延びる複数の第２の補強部材１１，１２と、ショーケース本体１の上面側を覆う第１の断熱部材１３と、ショーケース本体１の背面側を覆う第２の断熱部材１４と、ショーケース本体１の底面側を覆う第３の断熱部材１５と、ショーケース本体１の幅方向両側面を覆う一対の第４の断熱部材１６と、ショーケース本体１の上面を覆う天板１７と、ショーケース本体１の前面下端側を覆う前面板１８と、ショーケース本体１の両側面を覆う一対の側板１９と、上面側通風路３の下方を覆う上面板２０と、背面側通風路３の前方を覆う背面板２１と、底面側通風路３の上方を覆う底板２２と、前面板１８の上方に取付けられた化粧部材２３とからなる。
【００１３】
各補強部材１０，１１，１２はそれぞれショーケース本体１のフレームをなすための十分な強度を有する鋼材からなり、第１の補強部材１０はショーケース本体１の側面に沿って略コ字状に形成され、各第２の補強部材１１，１２はショーケース本体１の幅方向に直線状に延びている。
【００１４】
各断熱部材１３，１４，１５，１６はそれぞれ単一の材料からなり、例えば予め発泡硬化された断熱材によって所定形状に成形されている。この場合、第１の断熱部材１２は、上面側通風路３の前面、下面及び両側面を覆う下側部材１３ａと、下側部材１３ａの上面を覆う上側部材１３ｂとからなる。即ち、下側部材１３ａは前面側壁面部１３ｃ、下面側壁面部１３ｄ及び左右の側面側壁面部１３ｅを一体に有し、下面側壁面部１３ｄの前端側には空気吐出用の開口部１３ｆが設けられている。また、上側部材１３ｂは平板状に形成され、下側部材１３ａの上面開口部を閉塞するようになっている。第２の断熱部材１４は平面状に形成され、その外形はショーケース本体１の背面に沿って四角形に形成されている。また、第３の断熱部材１５は底面側通風路３の前面、背面、下面及び両側面を覆う箱状に形成されている。即ち、第３の断熱部材１５は前面側壁面部１５ａ、下面側壁面部１５ｂ、背面側壁面部１５ｃ及び左右の側面側壁面部１５ｄを一体に有し、第３の断熱部材１５内には各送風機５を保持するための保持部１５ｅがそれぞれ設けられている。各保持部１５ｅは各側面側壁面部１５ｄに設けた段部からなり、前方に下り傾斜をなすように形成されている。また、図示していないが第３の断熱部材１５の下面側壁面部１５ｂには結露水を排出するための排水口が設けられている。各第４の断熱部材１６はそれぞれ平面状に形成され、その外形はショーケース本体１の側面に沿って略コ字状に形成されている。
【００１５】
天板１７、前面板１８、各側板１９、上面板２０、背面板２１及び底板２２は金属板からなり、それぞれ所定形状に形成されている。天板１７は前端を下方に屈曲し、その前端には光透過性の合成樹脂からなるシェード１７ａが取付けられている。この場合、シェード１７ａ内には蛍光灯２４が取付けられる。前面板１８は上端側が下端側よりもやや前方に位置するように形成され、上端側と下端側との間は斜めに形成されている。各側板１９はそれぞれ透明の側面ガラス１９ａを有し、側面ガラス１９ａ以外の部分をショーケース本体１の側面に沿って略コ字状に形成されている。この場合、各側板１９の周端部はショーケース本体１の内側に向かって屈曲している。上面板２０は前端を下方に屈曲し、その両側端はそれぞれ上方に屈曲している。この場合、上面板２０の前端側下方には蛍光灯２５が取付けられる。また、背面板２１は下端を前方に屈曲し、底板２２は両側端をそれぞれ下方に屈曲している。化粧部材２３は所定の彩色を施した合成樹脂からなり、前面板１８の上端部を覆うように形成されている。
【００１６】
各商品棚２は後端側をショーケース本体１側の棚柱２ａによって支持され、前端側にはプライスカード等を保持するカード保持部２ｂが設けられている。
【００１７】
通風路３は一端にショーケース本体１の前面開口部上端に位置する空気吐出口３ａを有し、その他端にはショーケース本体１の前面開口部下端に位置する空気吸入口３ｂが設けられている。この場合、通風路３の空気吐出口３ａには、例えばハニカム状の通気構造を有する整流部材３ｃが取付けられ、通風路３の空気吸入口３ｂには多数の通気孔を有する吸気口グリル３ｄが取付けられている。
【００１８】
冷却器４は冷媒流通用のチューブ（図示せず）及び多数のフィンからなり、その両側面にはショーケース本体１側に固定するための支持板４ａが取付けられている。
【００１９】
各送風機５は互いに幅方向に間隔をおいて配置され、それぞれ送風機用取付部材をなす共通のファンダクト５ａに取付けられている。
【００２０】
以上のように構成されたショーケースにおいては、図１に示すように前面開口部下端の空気吸入口３ｂから通風路３内に吸入された空気が冷却器４によって冷却され、前面開口部上端の空気吐出口３ａから吐出する。これにより、ショーケース本体１の前面開口部にエアカーテンが形成され、ショーケース本体１内が冷却される。
【００２１】
次に、図３乃至図７を参照し、ショーケース本体１の組立構造について説明する。まず、図３に示すように各第１の補強部材１０を互いに左右方向に間隔をおいて配置するとともに、各第１の補強部材１０の背面側を一方の第２の補強部材１１によって連結し、各第１の補強部材１０の底面側を他方の第２の補強部材１２によって連結する。その際、各第１の補強部材１０には棚柱２ａがそれぞれ取付けられる。次に、図４に示すように冷却器４を各支持板４ａを介して各第１の補強部材１０間に取付るとともに、各第１の補強部材１０の上部に第１の断熱部材１３、天板１７及び上面板２０を取付け、各第１の補強部材１０の後部に第２の断熱部材１４を取付ける。続いて、図５に示すように各第１の補強部材１０の下部に第３の断熱部材１５を取付け、各第１の補強部材１０の側方に第４の断熱部材１６及び側板１９をそれぞれ取付ける。この場合、第４の断熱部材１６の一側面及び周端面は側板１９の側面及び周端屈曲面によって覆われる。次に、図６に示すように各第１の補強部材１０の下部前端側に前面板１８を取付けるとともに、第３の断熱部材１５内にファンダクト５ａに取付けられた各送風機５を収容する。この場合、ファンダクト５ａは両側端を第３の断熱部材１５内の各保持部１５ｅに載置され、各保持部１５ｅに沿って傾斜状態に保持される。また、上面板２０の前端には整流部材３ｃが取付けられる。続いて、図７に示すように背面板２１を各第１の補強部材１０に第２の断熱部材１４に対向するように取付けるとともに、各第１の補強部材１０の前端側に化粧部材２３及び吸気グリル３ｄを取付け、第３の断熱部材１５の上方に底板２２を載置する。以上でショーケース本体１の組立てが完了し、ショーケース本体１内の各棚柱２ａには各商品棚２が取付けられる。
【００２２】
このように、本実施形態のショーケースによれば、ショーケース本体１の各断熱部材１３，１４，１５，１６をそれぞれ単一の材料によって形成し、他の部品と共にショーケース本体１の組立時に取付けるようにしたので、従来のように断熱材の原料を注入し発泡させる工程が不要となり、構造の簡素化及び低コスト化を図ることができる。また、廃棄処分になったショーケースを解体する場合、各断熱部材１３，１４，１５，１６を他の部品と容易に分離することができるので、リサイクル性等においても極めて有利である。この場合、上面側通風路３を覆う第１の断熱部材１２を前面側壁面部１３ｃ、下面側壁面部１３ｄ及び左右の側面側壁面部１３ｅを一体に有する下側部材１３ａと、下側部材１３ａの上面を覆う上側部材１３ｂとから形成するとともに、底面側通風路３を覆う第３の断熱部材１５を前面側壁面部１５ａ、下面側壁面部１５ｂ、背面側壁面部１５ｃ及び左右の側面側壁面部１５ｄを一体に有する箱状に形成したので、上面側通風路３における空気の漏出と、底面側通風路３における空気及び結露水の漏出をそれぞれ確実に防止することができ、これら第１及び第３の断熱部材１３，１５のショーケース本体１への組付けも極めて容易に行うことができる。また、第３の断熱部材１５内に各送風機５のファンダクト５ａを保持するための保持部１５ｅを設けたので、ファンダクト５ａを別途締結部材や工具を用いて取付ける必要がなく、各送風機５の取付作業を極めて容易に行うことができる。更に、第１及び第３の断熱部材１３，１５を他の断熱部材１４，１６と同様、発泡性の断熱材によって形成したので、第１及び第３の断熱部材１３，１５を所定形状に容易に成形することができ、実用化に際して極めて有利である。
【００２３】
【発明の効果】
以上説明したように、請求項１のショーケースによれば、上面側の断熱部材を断熱材の原料を注入し発泡させることによって形成する必要がないので、構造の簡素化及び低コスト化を図ることができ、生産性を大幅に向上させることができる。また、廃棄処分になったショーケースを解体する場合、断熱部材を他の部品と容易に分離することができるので、リサイクル性等においても極めて有利である。更に、上面側通風路における空気の漏出を確実に防止することができ、しかも上面側断熱部材のショーケース本体への組付けも極めて容易に行うことができる。
【００２４】
また、請求項２のショーケースによれば、請求項１の効果に加え、底面側の断熱部材を断熱材の原料を注入し発泡させることによって形成する必要がないので、構造の簡素化及び低コスト化を図ることができ、生産性を大幅に向上させることができる。また、廃棄処分になったショーケースを解体する場合、断熱部材を他の部品と容易に分離することができるので、リサイクル性等においても極めて有利である。更に、底面側通風路における空気及び結露水の漏出を確実に防止することができ、しかも底面側断熱部材のショーケース本体への組付けも極めて容易に行うことができる。
【００２５】
また、請求項３のショーケースによれば、請求項２の効果に加え、送風機用取付部材を別途締結部材や工具を用いて取付ける必要がないので、送風機の取付作業を極めて容易に行うことができる。
【００２６】
また、請求項４のショーケースによれば、請求項１、２または３の効果に加え、断熱部材を所定形状に容易に成形することができるので、実用化に際して極めて有利である。
【図面の簡単な説明】
【図１】本発明の一実施形態を示すショーケースの側面断面図
【図２】ショーケースの全体斜視図
【図３】ショーケースの分解斜視図
【図４】ショーケースの分解斜視図
【図５】ショーケースの分解斜視図
【図６】ショーケースの分解斜視図
【図７】ショーケースの分解斜視図
【符号の説明】
１…ショーケース本体、３…通風路、４…冷却器、５…送風機、１３…第１の断熱部材、１５…第３の断熱部材、１３ａ…下側部材、１３ｂ…上側部材、１３ｃ…前面側壁面部、１３ｄ…下面側壁面部、１３ｅ…側面側壁面部、１３ｆ…開口部、１５…第３の断熱部材、１５ａ…前面側壁面部、１５ｂ…下面側壁面部、１５ｃ…背面側壁面部、１５ｄ…側面側壁面部、１５ｅ…保持部。
【図１】
0003548697.tif 000002
【図２】
0003548697.tif 000003
【図３】
0003548697.tif 000004
【図４】
0003548697.tif 000005
【図５】
0003548697.tif 000006
【図６】
0003548697.tif 000007
【図７】
0003548697.tif 000008